(57)【要約】      （修正有）【課題】組み立て易く、且つ、組み立てた状態が解かれ難い構造を有したフォルダーを提供する。【解決手段】紙製フォルダーは、被保持体の一面側に位置する矩形板状をなすベース部Ｂと、ベース部の下端縁から延設され被保持体の他面側に位置する延出部Ｅと、ベース部の一方の側端縁から延設されベース部と延出部との間に位置するとともに延出部と係わり合う板状をなす延出部保持部Ｈとを備える。延出部は、延出部保持部とベース部との間に位置する抜け止め係止片２とを備え、抜け止め係止片は、延出部本体の上端縁から延設された基端領域２１と、左右方向に延びた折り曲げ線２２を介して基端領域の先端縁から連設された先端領域２３とを備える。【選択図】図２
0003208597.tif 000002
【実用新案登録請求の範囲】
【請求項１】
単一の紙製シートによって形成されてなりシート状の被保持体を保持し得る紙製フォルダーであって、
前記被保持体の一面側に位置し得る矩形板状をなすベース部と、このベース部の下端縁から延設され前記被保持体の他面側に位置し得る延出部と、前記ベース部の一方の側端縁から延設され前記ベース部と前記延出部との間に位置し得るとともに前記延出部と係わり合う板状をなす延出部保持部とを備えてなり、
前記延出部が、ベース部の下端縁から延設された板状をなす延出部本体と、この延出部本体の上端縁から延設されるとともに少なくとも一部が前記延出部保持部と前記ベース部との間に位置し得る抜け止め係止片とを備えており、
前記抜け止め係止片が、前記延出部本体の上端縁から延設された基端領域と、左右方向に延びた折り曲げ線を介して前記基端領域の先端縁から連設された先端領域とを備えている紙製フォルダー。
【請求項２】
前記ベース部の他方の側端縁から延設され、前記ベース部と略同じ大きさに設定されたカバー部を備えている請求項１記載の紙製フォルダー。
【請求項３】
前記延出部本体が、名刺等のカードを保持し得る保持スリットを備えている請求項１又は２記載の紙製フォルダー。
【請求項４】
前記基端領域の上下方向寸法が６ｍｍに設定されており、前記先端領域の上下方向寸法が９ｍｍに設定されている請求項１、２又は３記載の紙製フォルダー。
【請求項５】
前記延出部保持部が、矩形状をなしたものであり、自由端側の上角部分の外縁が円弧状に形成されている請求項１、２、３又は４記載の紙製フォルダー。
【考案の詳細な説明】
【技術分野】
【０００１】
本考案は、単一の紙製シートによって形成された紙製フォルダーに関する。
【背景技術】
【０００２】
従来から、用紙等のシート体を保持することが可能なフォルダーが種々知られている（例えば、特許文献１を参照）。
【０００３】
この種のフォルダーは、一般に合成樹脂により形成されたものが殆どであるが、近時、組み立て可能な紙製のものが検討されている。
【０００４】
ところが、従来の紙製のフォルダーは、組み立てた後における紙の弾性反発力に起因する自然解体を抑制する為に、比較的組み立て難い構成を採らざるを得ないものとなっていた。
【先行技術文献】
【特許文献】
【０００５】
【特許文献１】特開２００３−２５７８２号公報
【考案の概要】
【考案が解決しようとする課題】
【０００６】
本考案は、このような課題に着目してなされたものであって、組み立て易く、且つ、組み立てた状態が解かれ難い構造を有した紙製フォルダーを提供することにある。
【課題を解決するための手段】
【０００７】
すなわち、本考案は、次の構成をなしている。
【０００８】
請求項１に記載の考案は、単一の紙製シートによって形成されてなりシート状の被保持体を保持し得る紙製フォルダーであって、前記被保持体の一面側に位置し得る矩形板状をなすベース部と、このベース部の下端縁から延設され前記被保持体の他面側に位置し得る延出部と、前記ベース部の一方の側端縁から延設され前記ベース部と前記延出部との間に位置し得るとともに前記延出部と係わり合う板状をなす延出部保持部とを備えてなり、前記延出部が、ベース部の下端縁から延設された板状をなす延出部本体と、この延出部本体の上端縁から延設されるとともに少なくとも一部が前記延出部保持部と前記ベース部との間に位置し得る抜け止め係止片とを備えており、前記抜け止め係止片が、前記延出部本体の上端縁から延設された基端領域と、左右方向に延びた折り曲げ線を介して前記基端領域の先端縁から連設された先端領域とを備えている紙製フォルダーである。
【０００９】
請求項２に記載の考案は、前記ベース部の他方の側端縁から延設され、前記ベース部と略同じ大きさに設定されたカバー部を備えている請求項１記載の紙製フォルダーである。
【００１０】
請求項３に記載の考案は、前記延出部本体が、名刺等のカードを保持し得る保持スリットを備えている請求項１又は２記載の紙製フォルダーである。
【００１１】
請求項４に記載の考案は、前記基端領域の上下方向寸法が６ｍｍに設定されており、前記先端領域の上下方向寸法が９ｍｍに設定されている請求項１、２又は３記載の紙製フォルダーである。
【００１２】
請求項５に記載の考案は、前記延出部保持部が、矩形状をなしたものであり、自由端側の上角部分の外縁が円弧状に形成されている請求項１、２、３又は４記載の紙製フォルダーである。
【考案の効果】
【００１３】
以上説明したように本考案によれば、組み立て易く、且つ、組み立てた状態が解かれ難い構造を有した紙製フォルダーを提供することができるものとなる。
【図面の簡単な説明】
【００１４】
【図１】本考案の一実施形態を示す正面図。
【図２】同実施形態を示す部分拡大正面図。
【図３】同実施形態におけるＸ−Ｘ線概略断面図。
【図４】同実施形態における組み立て工程を説明するための図３対応の説明図。
【図５】同実施形態における紙製フォルダーの展開図。
【考案を実施するための形態】
【００１５】
以下、本考案の一実施形態を、図１〜５を参照して説明する。なお、図３、及び、図４は、何れも概略的な断面図であるが、説明のしやすさのために実際のものよりも誇張して表示している。
【００１６】
この実施形態は、本考案を、シート状の被保持体たる用紙Ｓを挟んで保持し得る紙製フォルダーＡに適用したものである。紙製フォルダーＡは、単一の紙製シートＫ（図５を参照）における所定の部位を折り曲げるとともに所定の部位同士を組み付けることによって形成されたものである。
【００１７】
以下、紙製フォルダーＡについて詳述する。
【００１８】
紙製フォルダーＡは、用紙Ｓの一面（図１における裏面）側に位置し得る矩形板状をなすベース部Ｂと、ベース部Ｂの下端縁から延設され用紙Ｓの他面（図１における前面）側に位置し得る延出部Ｅと、ベース部Ｂの一方の側端縁たる右側端縁から延設されベース部Ｂと延出部Ｅとの間に位置し得るとともに延出部Ｅと係わり合う板状をなす延出部保持部Ｈとを備えている。また、紙製フォルダーＡは、ベース部Ｂの他方の側端縁たる左側端縁から延設され、ベース部Ｂと略同じ大きさに設定されたカバー部Ｃを備えている。
【００１９】
ベース部Ｂは、縦長の長方形状に形成されたものである。ベース部Ｂの下端縁からは、折り曲げ線ｓ１を介してベース部Ｂの前側に配される延出部Ｅが突設されている。ベース部Ｂにおける右端縁の下部からは、折り曲げ線ｓ２を介して、ベース部Ｂの前側に配されるとともに延出部本体１の後側に配される延出部保持部Ｈが突設されている。
【００２０】
延出部Ｅは、ベース部Ｂの下端縁から延設された板状をなす延出部本体１と、延出部本体１の上端縁から折り曲げ線ｓ３を介して延設された抜け止め係止片２とを備えている。
【００２１】
延出部本体１は、正面視において略台形状をなしている。延出部本体１の下端縁は、ベース部Ｂの下端縁と略同じ寸法に設定されている。延出部本体１の右端縁は、ベース部Ｂの右端縁と略一致する箇所に位置するようになっている。延出部本体１には、名刺等のカード（図示せず）を引っかけて保持し得る保持スリット１１を備えている。保持スリット１１は左右方向に延びる中央スリット部分１１ａと、中央スリット部分１１ａの両端から延出した部分円弧状をなす側スリット部分１１ｂとを備えている。名刺等のカードは、保持スリット１１内に挿入され、延出部本体１の弾性反発力によって支持され得るようになっている。
【００２２】
抜け止め係止片２は、その一部である右部分が延出部保持部Ｈとベース部Ｂとの間に位置し得るようになっている。抜け止め係止片２は、延出部本体１の上端縁から延設された基端領域２１と、左右方向に延びた折り曲げ線２２を介して基端領域２１の先端縁から連設された先端領域２３とを備えている。
【００２３】
この実施形態では、基端領域の上下方向寸法が６ｍｍに設定されており、先端領域の上下方向寸法が９ｍｍに設定されている。
【００２４】
延出部保持部Ｃは、略矩形状をなしたものであり、自由端側の上角部分ｈ１の外縁が円弧状に形成されている。
【００２５】
カバー部Ｃは、ベース部Ｂと延出部Ｅとの間に挟まれた用紙Ｓを上側から覆い得るものである。
【００２６】
以上に述べたように、本実施形態に係る紙製フォルダーＡは、単一の紙製シートＫによって形成されてなりシート状の被保持体である用紙Ｓを保持し得るものである。そして、用紙Ｓの一面側である裏面側に位置し得る矩形板状をなすベース部Ｂと、ベース部Ｂの下端縁から延設され用紙Ｓの他面側である表面側に位置し得る延出部Ｅと、ベース部Ｂの一方の側端縁たる右端縁から延設されベース部Ｂと延出部Ｅとの間に位置し得るとともに延出部Ｅと係わり合う板状をなす延出部保持部Ｈとを備えている。延出部Ｅは、ベース部Ｂの下端縁から延設された板状をなす延出部本体１と、延出部本体１の上端縁から延設されるとともに少なくとも一部が延出部保持部Ｈとベース部Ｂとの間に位置し得る抜け止め係止片２とを備えている。抜け止め係止片２は、延出部本体１の上端縁から延設された基端領域２１と、左右方向に延びた折り曲げ線２２を介して基端領域２１の先端縁から連設された先端領域２３とを備えている。このため、組み立て易く、且つ、組み立てた状態が解かれ難い構造を有した紙製フォルダーＡを提供することができるものとなる。
【００２７】
つまり、抜け止め係止片２における基端領域２１と先端領域２３との間に折り曲げ線２２を設けているため、当該抜け止め係止片２は、ベース部Ｂと延出部保持部Ｈとの間に二段階で挿入し得るようになっている。このため、抜け止め係止片２は、ベース部Ｂと延出部保持部Ｈとの間に、スムーズに挿入され得るものとなっている。
【００２８】
なお、仮に、抜け止め係止片２が、折り曲げ線２２の存在しない単一の平板状のものであった場合には、当該単一の平板状をなす抜け止め係止片２を無理矢理に湾曲させてベース部Ｂと延出部保持部Ｈとの間に挿入する必要があるため、非常に組み立てづらい構造となってしまうものとなる。
【００２９】
ベース部Ｂの他方の側端縁たる左側の側端縁から延設され、ベース部Ｂと略同じ大きさに設定されたカバー部Ｃを備えている。このため、用紙Ｓを隠蔽可能な使い勝手に優れた紙製フォルダーＡを提供することができるものとなる。
【００３０】
延出部本体１が、名刺等のカードを保持し得る保持スリット１１を備えている。このため、カードを保持させて持ち主や紙製フォルダーＡの用途等を明瞭に表示させ得るものとなっている。
【００３１】
基端領域２１の上下方向寸法が６ｍｍに設定されており、先端領域２３の上下方向寸法が９ｍｍに設定されている。このため、抜け止め係止片２をベース部Ｂと延出部保持部Ｈとの間に好適に挿入させることができるものとなる。
【００３２】
より具体的に説明すれば次の通りである。先ずは、一段目となる先端領域２３（長い方）をベース部Ｂと延出部保持部Ｈとの間に挿入させることにより、大きい摩擦力を生じさせて組み立て途中の解体を好適に抑制することができるものとなっている。次いで、折り曲げ線２２を介して二段目となる基端領域２１（短い方）をベース部Ｂと延出部保持部Ｈとの間に挿入させることにより、当該基端領域２１に及ぶ摩擦力の発生が可及的に抑制されたものとなり、スムーズな組み立て完了が実現されるものとなっている。
【００３３】
延出部保持部Ｈが、矩形状をなしたものであり、自由端側の上角部分ｈ１の外縁が円弧状に形成されている。このため、抜け止め係止片２を、ベース部Ｂと延出部保持部Ｈとの間に挿入する際に、抜け止め係止片２が延出部保持部Ｈの端縁に引っかかることが好適に抑制されたものとなっている。
【００３４】
なお、本考案は、以上に詳述した実施形態に限られるものではない。
【００３５】
例えば、紙製シートは、種々のものを適用することができ、厚み寸法等は適宜設定されるものである。紙製シートは、ＰＰ加工を施したものであってもよい。
【００３６】
その他、各部の具体的構成についても上記実施形態に限られるものではなく、本考案の趣旨を逸脱しない範囲で種々変形が可能である。
【符号の説明】
【００３７】
Ａ…紙製フォルダー
Ｂ…ベース部
Ｅ…延出部
Ｈ…延出部保持部
Ｃ…カバー部
２…抜け止め係止片
２１…基端領域
２２…折り曲げ線
２３…先端領域
【図１】
0003208597.tif 000003
【図２】
0003208597.tif 000004
【図３】
0003208597.tif 000005
【図４】
0003208597.tif 000006
【図５】
0003208597.tif 000007